(57)【特許請求の範囲】
【請求項１】
燃料タンク内に昇降可能に設けた灯芯を上下動させる芯上下手段と、上昇させた灯芯を降下方向へ附勢するバネと、このバネのバネ力に抗して灯芯を上昇位置で保持するロック金具と、地震発生等の非常時にこのロック金具を解除して灯芯を降下させる対震消火装置と、前記燃料タンクの給油口に備えたピンを口金の弁体に挿入して燃料タンクに燃油を供給するカートリッジタンクと、このカートリッジタンクの抜き取り時に前記ロック金具を解除して消火をする給油消火機能と、前記カートリッジタンクの重量を感知して燃油切れを表示する給油表示機能とを備えた石油ストーブに於いて、前記給油消火と給油表示を行うためにカートリッジタンクの状態に応じて回動する作動金具とこの作動金具をカートリッジタンクの重量に反する方向に附勢するバネとを設け、前記ロック金具は下方に伸びる端部を備え、この端部と作動金具の給油消火部を作動状態で略直角に位置させたことを特徴とする石油ストーブ。
【発明の詳細な説明】
【０００１】
【発明の属する技術分野】
この発明は芯上下式の石油ストーブに関するものである。
【０００２】
【従来の技術】
従来よりこの種の石油ストーブに於いては、カートリッジタンク内の燃油の残量が少なくなったり、空になった場合のタンクの重量を検知して使用者に給油の必要を表示するストーブは有った。
また給油の際にカートリッジタンクを引き抜いたとき、同時に消火装置が働き芯が下降して消火し、給油後のカートリッジタンク装着時にタンク内の燃油を誤ってこぼす事で発生する火災を防止する石油ストーブも有った。
【０００３】
【発明が解決しようとする課題】
しかしながらこのような従来の石油ストーブは前者の様な給油表示を行う装置と、後者のように給油時の消火装置を別々に独立して設けていたので、器具のコンパクト化やコストダウンの妨げになるものだった。
また図６のように前記給油消火を行う装置は、作動金具ａの作動を伝達するロック金具ｂの端部ｃと前記作動金具ａの接触面ｄが傾斜して接触していたので、接触面ｄに摩擦力が働き、何らかの原因で接触面に傷が付いたり腐食等で劣化した場合には摩擦力が大きくなるため正常な力の伝達ができなくなり、作動のムラが発生する危険があった。
【０００４】
【課題を解決するための手段】
この発明はこの点に着目し上記欠点を解決する為、特にその構成を、燃料タンク内に昇降可能に設けた灯芯を上下動させる芯上下手段と、上昇させた灯芯を降下方向へ附勢するバネと、このバネのバネ力に抗して灯芯を上昇位置で保持するロック金具と、地震発生等の非常時にこのロック金具を解除して灯芯を降下させる対震消火装置と、前記燃料タンクの給油口に備えたピンを口金の弁体に挿入して燃料タンクに燃油を供給するカートリッジタンクと、このカートリッジタンクの抜き取り時に前記ロック金具を解除して消火をする給油消火機能と、前記カートリッジタンクの重量を感知して燃油切れを表示する給油表示機能とを備えた石油ストーブに於いて、前記給油消火と給油表示を行うためにカートリッジタンクの状態に応じて回動する作動金具とこの作動金具をカートリッジタンクの重量に反する方向に附勢するバネとを設け、前記ロック金具は下方に伸びる端部を備え、この端部と作動金具の給油消火部を作動状態で略直角に位置させるようにしたものである。
【０００５】
【発明の実施の形態】
上記構成によって給油表示や消火装置を簡素化することができ、コンパクトで安価な石油ストーブを提供することができる。
【０００６】
【実施例】
以下この発明の一実施例を図面をもとに説明すれば、１は芯上下式石油ストーブの枠体で、底面の下皿２と背面及び左右の側面を覆う側板３と前面下部の前板４と上面の天板５によって横長方形状の筐体を形成し、内部に燃油を燃焼する燃焼筒６等を備え、前面中央から上部の開口部７から赤熱した前記燃焼筒６によって輻射熱を放出し、前記天板５中央の多数の長穴８より燃焼筒６の熱気を上方に放出して室内を暖房するものである。
【０００７】
９は前記天板５の右端部に設けたタンク装着口（図示せず）を覆うタンク蓋で、燃油供給の際に開口してカートリッジタンク１０の着脱を行うものである。
１１は前面中央やや下部に設けた芯上下ハンドルで、回動によって内部の灯芯１２の上下動を行うものであり、この芯上下ハンドル１１の上方には押圧によって点火装置（図示せず）の操作を行う点火窓１３が設けられ、この点火窓１３の右隣には燃焼時の押圧によって前記灯芯１２が素早く下降して瞬時に消火動作を行うように、対震消火装置１４の操作をする緊急消火窓１５を備えている。また前記芯上下ハンドル１１の右側には燃油の残量が少なくなった場合に、表示の色が変わったり、「給油」等の文字が表示されたりして使用者に燃油切れや給油の必要を知らせる給油表示窓１６を設けている。
【０００８】
前記開口部７を除く燃焼筒６の周りは、前方向に輻射熱を反射するための輻射板１７によって囲まれ、開口部７は多数の金属棒で構成されるガード枠１８によって保護されている。
前記下皿２上の枠体１内部には燃油を貯える燃料タンク１９がネジ等（図示せず）によって固定されている。この燃料タンク１９は左側上面の燃焼部２０と右側上面の前記カートリッジタンク１０の装着部２１から成り、この装着部２１の右端には円形の給油口２２を開口しており、この給油口２２にはカップ状の底面中央から金属のピン２３を立設し、側面には燃油を通過する穴を備えた燃油受２４にて給油口２２を覆っている。
【０００９】
前記燃油受２４の上方には縦長方形の前記カートリッジタンク１０が備えられ、このカートリッジタンク１０の底面には中央に弁体２５を形成した口金２６が螺合され、上面には持ち運び用の取手２７を備えている。また前記燃油受２４にカートリッジタンク１０の口金２６をセットする事により、前記ピン２３が弁体２５を押し上げて、カートリッジタンク１０内の燃油が燃油受２４から燃料タンク１９内に流れ込むものである。
【００１０】
２８は前記給油口２２近傍に設けられたコの字型の支点金具で、前記燃料タンク１９の上面にネジ止め又はスポット溶接等によって固定され、左右の軸穴２９と作動金具３０の軸穴３１及びバネ部材３３を重ね、軸３４を挿入することにより、この軸３４を支点として前記作動金具３０が上向き方向のバネ力を受けながら回動可能に軸支される。
前記作動金具３０は略十字形の腕の後側一端に前記軸穴３１を、前側の腕には前記給油表示窓１６に対応する給油表示部３５を、右側の腕には前記カートリッジタンク１０との接触部３６を、左側の腕には給油消火部３７を備えている。
【００１１】
３８は前記燃料タンク１９の燃焼部２０中央に燃料タンク１９底面から立設された芯案内パイプで、この芯案内パイプ３８の周囲に沿って芯止め金具３９で上下動自在に前記灯芯１２が設けられている。
４０は前記灯芯１２と芯案内パイプ３８の周囲を覆う芯案内筒で、前記燃料タンク１９上面に固定された３本のボルト４１とナット（図示せず）によってネジ止めされる。またこの芯案内筒４０と芯案内パイプ３８の上端には前記燃焼筒６が載置され灯芯１２によって燃料タンク１９から吸い上げた燃油を芯案内パイプ３８と芯案内筒４０との隙間にて蒸発させ燃焼筒６内で燃焼する。
【００１２】
前記芯上下ハンドル１１は円盤状で、背面の中心に備えた突部４２に芯上下軸４３を挿入し回転により芯の上下をするものである。前記芯上下軸４３の先端には、前記芯止め金具３９のラック４４と噛み合う歯車４５が前記燃料タンク１９前面の穴４６の内側に設けられ、芯上下軸４３の中間部で前記穴４６の前方には灯芯１２を下降方向に附勢するバネ４７とこのバネ４７に反して芯上下軸４３の回転をロックして灯芯１２の下降を阻止するロックギア４８を備えている。
【００１３】
前記対震消火装置１４は地震発生時に地震の揺れを感知するための重り４９と、この重り４９を乗せる重り台５０と、ロック金具５１から成り、このロック金具５１は軸５２にて重り台５０に回動自在に取り付けられ、係止ロット５３が前記ロックギア４８に係止し、前記重り４９の足部５４が重り台５０の穴５５とロック金具５１の穴５６を貫通し、重り４９の揺れをロック金具５１に伝え、ロックギア４８を解除して灯芯１２を一度に下降するものである。
前記作動金具３０の接触部３６はカートリッジタンク１０の装着によってタンク１０底面と点接触し、タンク１０とタンク１０内の燃油の重さで下方に押し下げられるものである。
【００１４】
前記重り４９の下側のロック金具５１は、左右の端部５７が下方に伸びる断面コの字型に設けられ、前記作動金具３０の給油消火部３７に上方向の突出部５８設けられ、この突出部５８の上面が前記端部５７と作動状態で略直角に位置するように設けられているので、接触面の摩擦力が作動金具３０からロック金具５１への力を妨げることが無いのでロック金具５１は極めてスムーズに作動するものである。
【００１５】
前記給油表示部３５は、燃油の十分入ったカートリッジタンク１０の重量で押し下げられている場合、給油表示窓１６からは白又は茶色等の前記前板４と同系の色彩であまり目立たない色の表示を行い、満タンで約５リットルのタンク１０内の燃油が燃焼により減少し残量が約１．５リットルになると前記バネ部材３３の力がタンク１０の重量と釣り合い、以後徐々に作動金具３０は上昇方向に回動を始め、残量が約１リットルになると「給油」の文字表示や赤色等の目立つ表示が少しずつ見え始め、残量が約０．５リットルになると「給油」等の表示がすべて表れ、残量が約０．５リットルから空になるまで表示は「給油」を維持する。
【００１６】
そして次に使用者がこの表示に気づいて燃油の給油を行うためにタンク１０を引き抜けば、作動金具３０が更に上方向に回動し、給油消火部３７が前記対震消火装置１４のロック金具５１の端部５７を押し上げてロックが外れ、前記灯芯１２が下降することにより消火を行うものである。
【００１７】
作動について説明すれば、芯上下ハンドル１１を右側に回して灯芯１２を上昇し、点火窓１３より点火装置を押圧すれば、灯芯１２にしみ込んだ燃油に火がついて燃焼が開始される。消火する時は、芯上下ハンドル１１を左側に回せば灯芯１２が下降し燃焼を停止する。また緊急消火窓１５から対震消火装置１４の重り４９を押圧して転倒すればロック金具５１が回動し、係止ロット５３がロックギア４８から外れてバネ４７の力で瞬時に灯芯１２が下降し燃焼を停止する。
【００１８】
燃焼中に燃油が減少し残量が約１．５リットルになるまでは、カートリッジタンク１０の底面が作動金具３０の接触部３６を押圧して作動金具３０が下げられている、そして残量が約１．５リットルになるとバネ部材３３の力がタンク１０の重量と釣り合い、以後徐々に作動金具３０は上昇方向に回動を始め、残量が約１リットルになると給油表示窓１６の表示が「給油」の文字表示や赤色等の目立つ表示が少しずつ見え始め、残量が約０．５リットルになると「給油」等の表示がすべて表れ、残量が約０．５リットルから空になるまで表示は「給油」を維持する。
燃油の給油を行うためにタンク１０を引き抜けば、作動金具３０が更に上方向に回動し、給油消火部３７が前記対震消火装置１４のロック金具５１の端部５７を押し上げてロックが外れ、前記灯芯１２が下降することにより消火を行うものである。
この時前記給油消火部３７の突出部５８上面が前記ロック金具５１の端部５７と作動状態で略直角に位置するように設けられているので、接触面の摩擦力が作動金具３０からロック金具５１への力を妨げることが無いのでロック金具５１は極めてスムーズに作動するものである。
【００１９】
【発明の効果】
以上のようにこの発明によれば、給油表示と給油時の消火が一組の部品で兼用できるので、コンパクトで安価な石油ストーブが提供でき、作動金具の給油消火部の突出部上面が前記ロック金具の端部と作動状態で略直角に位置するように設けられているので、接触面の摩擦力が作動金具からロック金具への力を妨げることが無いのでロック金具は極めてスムーズに作動するものである。
【図面の簡単な説明】
【図１】この発明一実施例の斜視図。
【図２】同内部の展開斜視図。
【図３】同要部側面の説明図。
【図４】同要部正面の説明図。
【図５】同作動金具の平面図。
【図６】従来例の側面図。
【符号の説明】
１０  カートリッジタンク
１４  対震消火装置
１９  燃料タンク
３０  作動金具
３５  給油表示部
３６  接触部
３７  給油消火部
５１  ロック金具
５７  端部
【図１】
0003737645.tif 000002
【図２】
0003737645.tif 000003
【図３】
0003737645.tif 000004
【図４】
0003737645.tif 000005
【図５】
0003737645.tif 000006
【図６】
0003737645.tif 000007